(57)【特許請求の範囲】
【請求項１】
ネットワークに接続して情報取得する情報家電が表示した表示情報を前記ネットワークに接続された他の情報端末へ転送するための情報転送方法であって、
入力部において、前記転送する前記表示情報を選択する選択信号を入力するステップと、
一時記憶情報記憶部において、前記選択した表示情報を一時記憶情報として生成し、該一時記憶情報に含まれる時刻情報が古い順に前記一時記憶情報を削除して記憶するステップと、
一時記憶情報出力部において、前記一時記憶情報の転送を要求する要求信号の入力に応じて前記一時記憶情報記憶部に記憶されている前記一時記憶情報を整形して出力するステップとを有し、
前記一時記憶情報記憶部において、前記表示情報が前記表示された領域を示す表示領域情報を前記一時記憶情報に関連付けして前記出力するステップ
を有することを特徴とする情報転送方法。
【請求項２】
前記一時記憶情報記憶部において、前記選択信号が前記入力部へ入力された時刻を示す時刻情報を前記一時記憶情報に関連付けして前記出力するステップを有することを特徴とする請求項１に記載の情報転送方法。
【請求項３】
前記一時記憶情報記憶部において、前記出力された前記一時記憶情報を閲覧済みとして再記憶するステップを有することを特徴とする請求項１または２に記載の情報転送方法。
【請求項４】
前記一時記憶情報記憶部において、前記閲覧済みの前記一時記憶情報を優先して削除するステップを有することを特徴とする請求項３に記載の情報転送方法。
【請求項５】
ネットワークに接続して情報取得する情報家電が表示した表示情報を前記ネットワークに接続された他の情報端末へ転送するための情報転送システムであって、
前記転送する前記表示情報を選択する選択信号を入力するための入力部と、
前記選択した表示情報を一時記憶情報として生成し、該一時記憶情報に含まれる時刻情報が古い順に前記一時記憶情報を削除して記憶するための一時記憶情報記憶部と、
前記一時記憶情報の転送を要求する要求信号の入力に応じて前記一時記憶情報記憶部に記憶されている前記一時記憶情報を整形して出力するための一時記憶情報出力部と、
を備え、
前記一時記憶情報記憶部において、前記表示情報が前記表示された領域を示す表示領域情報を前記一時記憶情報に関連付けして前記出力する
ことを特徴とする情報転送システム。
【請求項６】
ネットワークに接続して情報取得する情報家電が表示した表示情報を前記ネットワークに接続された他の情報端末へ転送を行うためのコンピュータが読み取り可能な情報転送プログラムであって、
入力部において、前記転送する前記表示情報を選択する選択信号を入力するステップと、
一時記憶情報記憶部において、前記選択した表示情報を一時記憶情報として生成し、該一時記憶情報に含まれる時刻情報が古い順に前記一時記憶情報を削除して記憶するステップと、
一時記憶情報出力部において、前記一時記憶情報の転送を要求する要求信号の入力に応じて前記一時記憶情報記憶部に記憶されている前記一時記憶情報を整形して出力するステップと、
前記一時記憶情報記憶部において、前記表示情報が前記表示された領域を示す表示領域情報を前記一時記憶情報に関連付けして前記出力するステップと
して前記コンピュータを機能させることを特徴とする情報転送プログラム。
【発明の詳細な説明】
【技術分野】
【０００１】
本発明は、情報家電にて得た情報をネットワークを介して転送するための情報転送方法およびシステム、プログラムに関する。
【背景技術】
【０００２】
従来において、インターネットなどのネットワークに接続されたＰＣ（パーソナルコンピュータ）等の情報端末において、たとえばウェブブラウザを操作して長時間の情報検索をすることが行われている。こうした情報検索はウェブブラウザの操作に伴う相当の労力を要するものであり、こうした操作が不要な情報家電において、その情報検索を可能とするための試みも行われている。
【０００３】
その一方で、情報家電で情報検索を行い、その情報を閲覧することが動機付けとなって、その情報についてさらに詳細な情報を取得したい場合が生じる。こうした場合には、大量の情報を効率よく検索して取得するために、操作性の優れたＰＣ上のウェブブラウザにアクセスの場を移すことが好ましい。
【０００４】
これらのニーズに応えるために、情報家電とＰＣ（ウェブブラウザ）間で、携帯端末を使って閲覧機器を切替える技術（非特許文献１）が提案されている。情報家電を介して情報を閲覧する場合において、その情報をさらに詳しく知る必要がある場合には、たとえば非特許文献１に記述されている携帯端末（非特許文献１における「ハンディデバイス」）などを用いてＰＣ上のウェブブラウザに閲覧手段を切り替え、情報家電に表示されていた情報の詳細を確認している。
【非特許文献１】「実世界指向ポータル：生活空間から情報空間への段階的アクセスのためのアーキテクチャ」、ヒューマンインタフェース学会、ヒューマンインタフェースシンポジウム２００４論文集、pp.711-714.
【発明の開示】
【発明が解決しようとする課題】
【０００５】
しかしながら従来の技術において、情報家電を介して得た情報に関し更に詳しい情報を得るためには、たとえば情報家電にて閲覧中の情報に関するＵＲＬや内容などの関連情報を携帯端末に一旦移し、その移した関連情報をＰＣなどの情報端末へ再度移す必要があり、煩雑な操作が必要であった。
【０００６】
本発明の目的は、情報家電を介して得た情報に関する詳細情報を煩雑な操作を要することなく情報端末にて容易に閲覧可能とすることにある。
【課題を解決するための手段】
【０００７】
上記課題を解決するために、請求項１に記載の本発明は、ネットワークに接続して情報取得する情報家電が表示した表示情報を前記ネットワークに接続された他の情報端末へ転送するための情報転送方法であって、入力部において、前記転送する前記表示情報を選択する選択信号を入力するステップと、一時記憶情報記憶部において、前記選択した表示情報を一時記憶情報として生成し、該一時記憶情報に含まれる時刻情報が古い順に前記一時記憶情報を削除して記憶するステップと、一時記憶情報出力部において、前記一時記憶情報の転送を要求する要求信号の入力に応じて前記一時記憶情報記憶部に記憶されている前記一時記憶情報を整形して出力するステップとを有し、前記一時記憶情報記憶部において、前記表示情報が前記表示された領域を示す表示領域情報を前記一時記憶情報に関連付けして前記出力するステップを有する。
【０００８】
また、請求項２に記載の本発明は、請求項１において、前記一時情報記憶部は、前記選択信号が前記入力部へ入力された時刻を示す時刻情報を前記一時記憶情報に関連付けして前記出力するステップを有する。
【００１０】
また、請求項３に記載の本発明は、請求項１または２において、前記一時情報記憶部において、前記出力された前記一時記憶情報を閲覧済みとして再記憶するステップを有する。
【００１１】
また、請求項４に記載の本発明は、請求項３において、前記一時情報記憶部において、前記閲覧済みの前記一時記憶情報を優先して削除するステップを有する。
【００１２】
また、請求項５に記載の本発明は、ネットワークに接続して情報取得する情報家電が表示した表示情報を前記ネットワークに接続された他の情報端末へ転送するための情報転送システムであって、前記転送する前記表示情報を選択する選択信号を入力するための入力部と、前記選択した表示情報を一時記憶情報として生成し、該一時記憶情報に含まれる時刻情報が古い順に前記一時記憶情報を削除して記憶するための一時記憶情報記憶部と、前記一時記憶情報の転送を要求する要求信号の入力に応じて前記一時記憶情報記憶部に記憶されている前記一時記憶情報を整形して出力するための一時記憶情報出力部と、を備え、前記一時記憶情報記憶部において、前記表示情報が前記表示された領域を示す表示領域情報を前記一時記憶情報に関連付けして前記出力する。
【００１３】
また、請求項６に記載の本発明は、ネットワークに接続して情報取得する情報家電が表示した表示情報を前記ネットワークに接続された他の情報端末へ転送を行うためのコンピュータが読み取り可能な情報転送プログラムであって、入力部において、前記転送する前記表示情報を選択する選択信号を入力するステップと、一時記憶情報記憶部において、前記選択した表示情報を一時記憶情報として生成し、該一時記憶情報に含まれる時刻情報が古い順に前記一時記憶情報を削除して記憶するステップと、一時記憶情報出力部において、前記一時記憶情報の転送を要求する要求信号の入力に応じて前記一時記憶情報記憶部に記憶されている前記一時記憶情報を整形して出力するステップと、前記一時記憶情報記憶部において、前記表示情報が前記表示された領域を示す表示領域情報を前記一時記憶情報に関連付けして前記出力するステップとして前記コンピュータを機能させる。
【発明の効果】
【００１４】
本発明によれば、情報家電を介して得た情報に関する詳細情報を煩雑な操作を要することなく情報端末にて容易に閲覧可能とすることができる。
【発明を実施するための最良の形態】
【００１５】
図１は、本実施の形態に係る情報家電システムの一例を示している。
【００１６】
図１に示す情報家電システム１は、情報家電１１と、ＰＣ端末などの情報家電利用装置（情報端末）１２と、を備え、この情報家電利用装置１２がネットワーク１４を介してルータ機能付きモデム１３に接続されている。また、このルータ機能付きモデム１３はインターネットなどのネットワーク２に接続されている。さらにネットワーク２には、コンテンツ提供サーバ３が接続されている。
【００１７】
図２は、本実施の形態に係る情報家電１１の構成を示している。
【００１８】
図２に示す情報家電１１は、入力装置１１１と、表示装置１１２、通信制御装置１１３、中央処理制御装置１１４、記憶装置１１５、現在時刻算出装置１１６を有する。
【００１９】
入力装置１１１は情報家電１１の操作に用いられるタッチパネルであり、表示装置１１２上に表示されている情報を選択するために用いられる。表示装置１１２は、情報が表示される表示ディスプレイであり、表示する領域が区切られており、領域Ａ１６０と領域Ｂ１６１を有する。通信制御装置１１３はネットワーク１を介して情報家電利用装置１２とのデータの送受信やルータ機能付きモデム１３を介してネットワーク２からのデータの受信を制御する。
【００２０】
中央処理制御装置１１４は、情報家電１１における処理を制御する。そのため、中央処理制御装置１１４は、受信情報処理部１５０、表示定期更新部１５１、マーキング処理部１５２、一時記憶情報出力部１５３を有している。
【００２１】
記憶装置１１５は、設定情報記憶部１７０、受信情報記憶部１７１、一時記憶情報記憶部１７２を有している。
【００２２】
図３は、本実施の形態に係る情報家電利用装置１２の構成を示している。
【００２３】
図３に示す情報家電利用装置１２は、入力装置１２１、表示装置１２２、通信制御装置１２３、中央処理演算装置１２４、記憶装置１２５を有する。この情報家電利用装置１２は、例えば、ＰＣ等の装置であり、情報家電連携プログラムがインストールされることにより実現される。
【００２４】
入力装置１２１（１１１）は、ユーザにより操作指示が入力される装置であり、例えば、キーボードやマウス等である。表示装置１２２（１１２）は、情報家電利用装置１２に接続される情報家電１１に関する処理操作や処理結果が表示されるディスプレイ等である。通信制御装置１２３（１１３）は、ネットワーク１を介して接続される情報家電１１及びネットワーク２とのデータの送受信を制御する。
【００２５】
中央処理演算装置１２４は、情報家電利用装置１２における処理を制御する。具体的には、情報転送システムおよび方法を実現するために、中央処理演算装置１２４は、起動処理部１８０、一時記憶情報取得部１８１を有している。
【００２６】
図４は、本実施の形態に係る、処理のフローチャートを示す。
【００２７】
情報家電１１の受信情報処理部１５０は、情報家電１１の電源がＯＮにされると、設定情報記憶部１７０に予め記憶されているコンテンツ提供サーバ３へのアクセス子を取り出し、通信制御装置１１３は前記アクセス子をコンテンツ提供サーバ３に送信して表示情報リストの受信を待機する。
【００２８】
受信情報処理部１５０は、コンテンツ提供サーバ３から表示情報リストを受信し（Ｓ１００）、このあと現在時刻算出装置１１６から現在の日付・時刻情報を取得し、表示情報リスト受信時刻として設定情報記憶部１７０に保存し、表示情報リストを受信情報記憶部１７１に保存する（Ｓ１０１）。ここでは例えば、情報家電がＨＴＴＰによる通信機能を有している場合、前記アクセス子はＵＲＬである。表示情報リストとは表示情報のリストであり、表示情報とは表示装置に表示する文字列とそれに対応するＵＲＬのセットである（図６参照）。なお、表示情報の文字列とは、具体的にはスポーツや政治に関するニュースである。
【００２９】
次に、表示定期更新部１５１が、受信情報記憶部１７１に記憶されている表示情報リストから表示情報を順に読み出し、表示装置１１２の領域Ａ１６０と領域Ｂ１６１に一つずつ表示する（Ｓ１０２）。このとき表示定期更新部１５１は、領域ＡとＢにどの表示情報を表示しているのか保存しておく。
【００３０】
表示装置１１２に表示情報が表示されたあと、マーキング処理部１５２は、ユーザがタッチパネルなどの入力装置１１１を利用して表示情報が選択されるのを一定時間待つ（Ｓ１０３）。待つ時間は例えば２０秒である。選択方法は、例えば表示情報にタッチすることとする。
【００３１】
ここでユーザにより入力装置で選択されると、選択信号が入力装置１１１からマーキング処理部１５２に送られる。選択信号には領域ＡとＢのどちらで選択されたのかの情報が含まれる。マーキング処理部１５２は選択信号を受信すると選択された領域情報を抽出し、表示定期更新部１５１から選択された領域の表示情報を取得し、さらに現在の日付／時刻情報を生成し、日付／時刻情報、領域情報、表示情報（文字列とＵＲＬ）のセットを一時記憶情報として、一時記憶情報記憶部１７２の情報記憶テーブル（図７参照）に保存する（Ｓ１０４）。情報記憶テーブルには、個々の一時記憶情報が情報家電利用装置１２で閲覧済みかどうかマークする欄があり、一時記憶情報保存時には、同項目を“false”（閲覧済みでないことを示す）に設定する。
【００３２】
マーキング処理部１５２は、一時記憶情報記憶部１５３に設定されている一時記憶情報の最大記憶数（例えば２０個）を越えない限り、すでに保存されている一時記憶情報を上書きせず新たに追加保存するが、超えた場合には、一時記憶情報内の選択日付・時刻情報の古いものから上書きする。もしくは、閲覧済みの項目が“true”（閲覧済みであることを示す）になっている一時記憶情報を優先にして、選択日付・時刻情報の古いものから上書きする。
【００３３】
次に情報家電１１の通信制御装置１１３は、情報家電利用装置１２から送信される探索信号の受信を待機する（Ｓ１０５）。具体的には探索信号とは、探索信号である旨を示す“discover”という文字列と情報家電利用装置１２のネットワークアドレスが記述された信号である。通信制御装置１１３がネットワーク１４を介して情報家電利用装置１２から送信された探索信号を受信した場合、一時記憶情報出力部１５３は応答信号を生成し、通信制御装置１１３は生成された応答信号を情報家電利用装置１２に送信する（Ｓ１０６）。具体的には応答信号とは、情報家電のＩＤ（例えば“家電Ａ”というＩＤ）と情報家電のネットワークアドレスが記述された信号である。例えば情報家電１１及び情報家電利用装置１２がＵＤＰによる通信機能を有している場合、探索信号と応答信号はＵＤＰによる信号である。
【００３４】
次に情報家電１１の通信制御装置１１３は、情報家電利用装置１２から送信される一時記憶情報要求信号の受信を待機する（Ｓ１０７）。通信制御装置１１３がネットワーク１４を介して情報家電利用装置１２から送信された一時記憶情報要求信号を受信した場合、一時記憶情報出力部１５３は一時記憶情報記憶部１７２から、保存されているすべての一時記憶情報を読み出し、一時記憶情報のなかの文字列とＵＲＬのセットを情報家電利用装置１２で閲覧できるよう整形一時記憶情報に変換し、通信制御装置１１３は情報家電利用装置１２に送信する（Ｓ１０８）。
【００３５】
もしくは、一時記憶情報のなかの文字列とＵＲＬと選択日時・時刻のセットを情報家電利用装置１２で閲覧できるよう整形一時記憶情報に変換し、通信制御装置１１３は情報家電利用装置１２に送信する（Ｓ１０８）。第三の実施の形態として、一時記憶情報のなかの文字列とＵＲＬと領域情報のセットを情報家電利用装置１２で閲覧できるよう整形一時記憶情報に変換し、通信制御装置１１３は情報家電利用装置１２に送信する（Ｓ１０８）。
【００３６】
もしくは、一時記憶情報のなかの文字列とＵＲＬと選択日時・時刻と領域情報のセットを情報家電利用装置１２で閲覧できるよう整形一時記憶情報に変換し、通信制御装置１１３は情報家電利用装置１２に送信する（Ｓ１０８）。
【００３７】
ここで例えば情報家電利用装置１２がＨＴＭＬの閲覧機能を有していれば、整形一時記憶情報はＨＴＭＬ形式である。
【００３８】
次に情報家電１１の通信制御装置１１３は、情報家電利用装置１２から送信される閲覧要求信号の受信を待機する。通信制御装置１１３がネットワーク１４を介して情報家電利用装置１２から送信された閲覧要求信号を受信した場合、一時記憶情報出力部１５３は、閲覧要求信号に含まれている番号に該当する、一時記憶情報記憶部の一時記憶情報の閲覧済みのテーブルを“true”に書き換え、リダイレクト信号を生成し、情報家電利用装置１２に送信する。
【００３９】
この後、受信情報処理部１５０が、設定情報記憶部１７０から表示情報リスト受信時刻を読み出し、現在時刻と比較して、一定時間経過したかどうかを判別する（Ｓ１０９）。例えば一定時間とは３０分である。一定時間経過していればステップ１００に戻る。経過していなければ、プログラムの処理が終了されるまでステップ１０２に戻る。
【００４０】
図５と図８は、本実施の形態に係る、情報家電利用装置１２における処理の一例を説明するフローチャートを示している。
【００４１】
プログラムが起動すると、起動処理部１８０は探索信号を生成し、通信制御装置１２３は生成された探索信号をネットワーク１４にブロードキャスト方式で送信する（Ｓ２０１）。その後、通信制御装置１２３は情報家電１１から送信される応答信号を待機する（Ｓ２０２）。
【００４２】
通信制御装置１２３でネットワーク１４を介して接続される情報家電１１から送信された応答信号を受信すると、起動処理部１８０は受信した応答信号を家電情報記憶部１９０に記憶するとともに、起動処理部１８０は、この応答信号に含まれる情報家電のＩＤを表示用データに変換して表示装置１２２に表示する（Ｓ２０３）。
【００４３】
これは例えば、情報家電利用装置１２上にインストールされたウェブブラウザプログラムのブックマーク用データに変換して表示する（前記ＩＤを名前に持つブックマーク）としてもよいし、情報家電利用装置１２のデスクトップ上やランチャープログラム上の表示用データ（前記ＩＤの名称がついたアイコン）に変換して表示するとしてもよい。
【００４４】
次に、表示された表示用データがユーザにより入力装置１２１を介して選択される（Ｓ２０４）と、入力装置１２１から選択信号が一時記憶情報取得部１８１に入力され、一時記憶情報取得部１８１は、家電情報記憶部１９０から応答信号を取り出し、応答信号のなかに含まれている情報家電１１のネットワークアドレスをもとに情報家電１１への一時記憶情報要求信号を生成し、通信制御装置１２３から情報家電１１に送信する。
【００４５】
例えば情報家電利用装置１２及び情報家電１１がＨＴＴＰによる通信機能を有していれば、一時記憶情報要求信号はＨＴＴＰのＧＥＴコマンドによる信号である（Ｓ２０５）。続いて通信制御装置１２３は、情報家電１１から整形一時記憶情報リストが送信されるのを待機する（Ｓ２０６）。
【００４６】
通信制御装置１２３が整形一時記憶情報リストを受信すると、一時記憶情報取得部１８１に渡され、一時記憶情報取得部１８１は、情報家電利用装置１２上の整形一時記憶情報リスト表示プログラムに表示させる（Ｓ２０７）。例えば整形一時記憶情報リストがＨＴＭＬ形式で、情報家電利用装置がウェブブラウザプログラムを有している場合には、前記プログラムで整形一時記憶情報リストを表示させる。
【００４７】
次に、表示された整形一時記憶情報リストの一つがユーザにより選択される（Ｓ２０８）。情報家電利用装置がウェブブラウザプログラムを有している場合には、一時記憶情報取得部１８１はウェブブラウザプログラム内の処理部であり、閲覧要求信号はＨＴＴＰ  ＧＥＴコマンドである。続いて通信制御装置１２３は、情報家電１１からリダイレクト信号が送信されるのを待機する。情報家電利用装置がウェブブラウザプログラムを有している場合、例えば“http://www.xxx.co.jp/news.html”というＵＲＬへのリダイレクト信号とは、ＨＴＭＬの＜meta＞タグによって以下のように記述されたＨＴＭＬデータである。
【００４８】
＜meta http-equiv＝“refresh”content＝“０”URL＝“http://www.xxx.co.jp/news.html”＞通信制御装置１２３がリダイレクト信号を受信する（Ｓ２１０）と、リダイレクト先のＵＲＬをウェブブラウザで表示する（Ｓ２１１）。
【００４９】
プログラムが終了されなければステップ２０４に戻る。
【００５０】
なお、以上説明した本実施の形態における情報転送システムを構成する前記各ハードウェアは一つの具体例であって、こうしたハードウェア構成による実現方法に限定するものではなく、同様の機能を提供可能に製作されたコンピュータプログラムを適用して実現することも含んでいる。
【００５１】
以上説明した実施の形態によれば、情報家電を介して得た情報に関する詳細情報を煩雑な操作を要することなく情報端末にて容易に閲覧可能とすることができる。
【図面の簡単な説明】
【００５２】
【図１】情報転送方法およびシステム、プログラムの実施の形態に係る情報家電システムの一例を示す。
【図２】情報転送方法およびシステム、プログラムの実施の形態に係る情報家電の構成を示す。
【図３】情報転送方法およびシステム、プログラムの実施の形態に係る情報家電利用装置１２の構成を示す。
【図４】情報転送方法およびシステム、プログラムの実施の形態に係る、処理のフローチャートを示す。
【図５】情報転送方法およびシステム、プログラムの実施の形態に係る、情報家電利用装置における処理の一例を説明するフローチャートを示す。
【図６】情報転送方法およびシステム、プログラムの実施の形態に係る、ブックマークデータの一例を示す。
【図７】情報転送方法およびシステム、プログラムの実施の形態に係る、情報記憶テーブルの一例を示す。
【図８】情報転送方法およびシステム、プログラムの実施の形態に係る、情報家電利用装置における処理の一例を説明するフローチャートを示す。
【符号の説明】
【００５３】
１…情報家電システム
２、１４…ネットワーク
３…コンテンツ提供サーバ
１１…情報家電
１２…情報家電利用装置
１３…ルータ機能付きモデム
１１１…入力装置
１１２…表示装置
１１３…通信制御装置
１１４…中央処理制御装置
１１５…記憶装置
１１６…現在時刻算出装置
【図１】
0004751756.tif 000002
【図２】
0004751756.tif 000003
【図３】
0004751756.tif 000004
【図４】
0004751756.tif 000005
【図５】
0004751756.tif 000006
【図６】
0004751756.tif 000007
【図７】
0004751756.tif 000008
【図８】
0004751756.tif 000009